(57)【要約】【課題】車両の整備中に高電圧電源を作動させる車載機器の制御や稼動を中止して高電圧電源の作動を停止させることができるようにした車載機器制御装置を提供する。【解決手段】車両に搭載された高電圧電源１１Ａを作動させる車載機器２２Ａ，２２Ｂ，１２を制御する車載機器制御装置２２ａ，２２ｂ，２３であって、車両に装備されたハイトセンサ６０の検出情報から車両がリフトアップ状態であるか否かを判定する判定手段２２ａ３，２２ｂ３，２３Ｃと、判定手段２２ａ３，２２ｂ３，２３Ｃにより車両がリフトアップ状態であると判定されると、車載機器２２Ａ，２２Ｂ，１２の制御又は稼動を中止して高電圧電源１１Ａの作動を停止する停止手段２２ａ４，２２ｂ４，２３Ｄとを備える。【選択図】図１
2014069593.tif 000002
【特許請求の範囲】
【請求項１】
車両に搭載された高電圧電源を作動させる車載機器を制御する車載機器制御装置であって、
前記車両に装備されたハイトセンサの検出情報から前記車両がリフトアップ状態であるか否かを判定する判定手段と、
前記判定手段により前記車両がリフトアップ状態であると判定されると、前記車載機器の制御又は稼動を中止して前記高電圧電源の作動を停止する停止手段とを備えている
ことを特徴とする、車載機器制御装置。
【請求項２】
前記車載機器は、前記高電圧電源としての走行用バッテリに車外電源からの電力供給を行なう走行用バッテリ充電装置を含み、
前記車載機器制御装置は、前記走行用バッテリを車外電源に接続した状態で前記走行用バッテリ充電装置を稼動して前記走行用バッテリの充電を制御する走行用バッテリ充電制御装置を含み、
前記走行用バッテリ充電制御装置は、予め設定されたタイムスケジュールに従って前記走行用バッテリの前記車外電源による充電を自動で行なう走行用バッテリ充電タイマー稼動制御手段を有し、
前記停止手段は、前記判定手段により前記車両がリフトアップ状態であると判定されると、前記走行用バッテリ充電タイマー稼動制御手段による制御を無効化し前記走行用バッテリ充電装置の制御又は稼動を中止して前記高電圧電源の作動を停止する
ことを特徴とする、請求項１記載の車載機器制御装置。
【請求項３】
前記車載機器は、前記車両に装備された空調装置を含み、
前記車載機器制御装置は、前記空調装置の稼動を制御する空調制御装置を含み、
前記空調制御装置は、予め設定されたタイムスケジュールに従って前記空調装置の稼動を自動で行なう空調タイマー稼動制御手段を有し、
前記停止手段は、前記判定手段により前記車両がリフトアップ状態であると判定されると、前記空調タイマー稼動制御手段による制御を無効化し前記空調装置の制御又は稼動を中止して前記高電圧電源の作動を停止する
備えている
ことを特徴とする、請求項１又は２記載の車載機器制御装置。
【請求項４】
前記車載機器は、前記高電圧電源から前記車両に装備された補機バッテリを充電する補機バッテリ充電装置を含み、
前記車載機器制御装置は、前記補機バッテリ充電装置を稼動して前記高電圧電源から前記補機バッテリへ電力を供給し充電する充電制御を行なう補機バッテリ充電制御装置を含み、
前記補機バッテリ充電制御装置は、予め設定されたタイムスケジュールに従って前記充電を自動で行なう補機バッテリ充電タイマー稼動制御手段を有し、
前記停止手段は、前記判定手段により前記車両がリフトアップ状態であると判定されると、前記補機バッテリ充電タイマー稼動制御手段による制御を無効化し前記補機バッテリ充電装置の制御又は稼動を中止して、前記高電圧電源の作動を停止する
ことを特徴とする、請求項１〜３の何れか１項に記載の車載機器制御装置。
【発明の詳細な説明】
【技術分野】
【０００１】
本発明は、自動車に搭載された高電圧電源を作動させる車載機器を制御する車載機器制御装置に関するものである。
【背景技術】
【０００２】
近年、自動車（以下、車両とも言う）に搭載される機器を遠隔操作する技術が開発され普及している。例えば、車両のエンジンを予め暖気運転しておくために、遠隔操作によってエンジンを始動させておく技術や、また、車両に乗る前に、エンジンを始動させたのち更に予め暖房や冷房を利かせるために遠隔操作によって車両の空調装置を作動させておくプレ空調の技術が開発されている。このような技術は、例えば、特許文献１に開示されている。
【０００３】
この特許文献１には、携帯機（リモートコントローラ）に設けられた始動スイッチや停止スイッチにより車両に搭載されているエンジン制御回路を無線で操作して車両のエンジンの始動や停止を行なえるようにしたものにおいて、車両に後付けされた電気機器を制御する制御回路を設け、エンジン運転中には始動スイッチの操作信号を後付け電気機器の動作開始信号として機器の動作を開始させ、エンジン停止中には停止スイッチの操作信号を後付け電気機器の動作停止信号として機器の動作を停止させる技術が記載されている。
【先行技術文献】
【特許文献】
【０００４】
【特許文献１】特開平１１−２３００１３号公報
【発明の概要】
【発明が解決しようとする課題】
【０００５】
本発明者らは、上記のようなプレ空調の操作に加えて、例えば家庭用コンセントで充電可能な電気自動車やプラグインハイブリッド車において、車両の充電系統をコンセントに接続し充電可能な状態にしておき、遠隔操作で充電の開始や終了を認識したり管理したりすることなども、車両を使用する際の利便性を高めることができるものと考えた。このように、様々な機器を遠隔で操作したり管理したりすることにより車両を使用する際の利便性を高めることができる。
【０００６】
特に、自動車を毎日の通勤で使用するなど規則的なタイミングで使用する場合には、プレ空調や充電の実施時間を予めタイマーで設定しておいて、設定されたタイミングで自動的にプレ空調や充電の実施できるように構成すれば利便性を一層高めることができる。
しかしながら、このようなタイマー設定でバッテリの充電（タイマー充電）や車室内の空調（タイマー空調）を遠隔操作で行う場合、以下のような回避すべき誤作動が懸念される。
【０００７】
つまり、高電圧の走行用バッテリに充電したり、走行用バッテリを用いて補機バッテリへの充電や空調等を行ったりする場合には高電圧電源（走行用バッテリ）を作動（通電）させる必要があるが、整備工場等で整備中に高電圧電源が作動することは回避すべきである。
しかし、タイマー充電やタイマー空調等のタイマー稼動は、作動条件さえ整えば、規則的なタイミングで実施されるので、整備中といえども作動することがある。したがって、このような状況は回避すべきである。
【０００８】
なお、タイマー充電やタイマー空調は遠隔操作に限らず設定しうるもので、車載の操作機器を用いてタイマー充電やタイマー空調を実施することも可能である。
また、タイマー稼動に限らず、整備工場等で整備中に、車両から離隔した箇所において、リモートコントローラを誤って操作することにより、高電圧電源が作動するおそれも考えられる。
【０００９】
さらに、リモートコントローラの利便性を高めるために、比較的長い無線通信距離を有する規格の通信方式を利用したり、汎用のリモートコントローラを利用できるようにしたりすると、比較的離れた距離からの操作が有効になるので、リモートコントローラの誤操作の影響が生じやすい。
特に、高電圧電源の走行用バッテリに充電を行なう際には、充電ガンを充電プラグに差し込む必要があるため、作業者はこうした充電を管理できるが、走行用バッテリを利用して補機バッテリを充電する際や、走行用バッテリを利用してプレ空調を実施する際には、充電ガンを充電プラグに差し込む必要はないので、作業者はこれらを管理することができない。
【００１０】
もちろん、作業前に、高電圧電源のサービスプラグを抜いたり、補機バッテリを外したりすれば、高電圧電源が作動するおそれを回避できるが、作業者がこのような処理を忘れる場合がある。また、走行用バッテリへ充電する場合にも、作業者が、充電ガンが充電プラグに差し込まれていることを確認せずに作業を開始するおそれもある。
本発明は上記の課題に鑑み創案されたもので、車両の整備中には高電圧電源を作動させる特定の車載機器の作動を停止させることができるようにした、車載機器制御装置を提供することを目的としている。
【課題を解決するための手段】
【００１１】
（１）本発明の車載機器制御装置は、車両に搭載された高電圧電源を作動させる車載機器を制御する車載機器制御装置であって、前記車両に装備されたハイトセンサの検出情報から前記車両がリフトアップ状態であるか否かを判定する判定手段と、前記判定手段により前記車両がリフトアップ状態であると判定されると、前記車載機器の制御又は稼動を中止して前記高電圧電源の作動を停止する停止手段とを備えていることを特徴としている。
【００１２】
（２）前記車載機器は、前記高電圧電源としての走行用バッテリに車外電源からの電力供給を行なう走行用バッテリ充電装置を含み、前記車載機器制御装置は、前記走行用バッテリを車外電源に接続した状態で前記走行用バッテリ充電装置を稼動して前記走行用バッテリの充電を制御する走行用バッテリ充電制御装置を含み、前記走行用バッテリ充電制御装置は、予め設定されたタイムスケジュールに従って前記走行用バッテリの前記車外電源による充電を自動で行なう走行用バッテリ充電タイマー稼動制御手段を有し、前記停止手段は、前記判定手段により前記車両がリフトアップ状態であると判定されると、前記走行用バッテリ充電タイマー稼動制御手段による制御を無効化し前記走行用バッテリ充電装置の制御又は稼動を中止して前記高電圧電源の作動を停止することが好ましい。
【００１３】
（３）前記車載機器は、前記車両に装備された空調装置を含み、前記車載機器制御装置は、前記空調装置の稼動を制御する空調制御装置を含み、前記空調制御装置は、予め設定されたタイムスケジュールに従って前記空調装置の稼動を自動で行なう空調タイマー稼動制御手段を有し、前記停止手段は、前記判定手段により前記車両がリフトアップ状態であると判定されると、前記空調タイマー稼動制御手段による制御を無効化し前記空調装置の制御又は稼動を中止して前記高電圧電源の作動を停止することが好ましい。
【００１４】
（４）前記車載機器は、前記高電圧電源から前記車両に装備された補機バッテリを充電する補機バッテリ充電装置を含み、前記車載機器制御装置は、前記補機バッテリ充電装置を稼動して前記高電圧電源から前記補機バッテリへ電力を供給し充電する充電制御を行なう補機バッテリ充電制御装置を含み、前記補機バッテリ充電制御装置は、予め設定されたタイムスケジュールに従って前記充電を自動で行なう補機バッテリ充電タイマー稼動制御手段を有し、前記停止手段は、前記判定手段により前記車両がリフトアップ状態であると判定されると、前記補機バッテリ充電タイマー稼動制御手段による制御を無効化し前記補機バッテリ充電装置の制御又は稼動を中止して、前記高電圧電源の作動を停止することが好ましい。
【発明の効果】
【００１５】
（１）本発明の車載機器制御装置によれば、ハイトセンサの検出情報から車両がリフトアップ状態であると判定されると、高電圧電源を作動させる車載機器の車載機器制御装置による制御又は稼動を中止して高電圧電源の作動を停止するので、車両をリフトアップする車両の整備中に、車載機器の稼動による高電圧電源の作動するおそれを回避することができる。
【００１６】
（２）例えば、車載機器が高電圧電源としての走行用バッテリに車外電源からの電力供給を行なう走行用バッテリ充電装置であり、車載機器制御装置が走行用バッテリ充電装置を稼動して走行用バッテリの充電を制御する走行用バッテリ充電制御装置であって、予め設定されたタイムスケジュールに従って走行用バッテリの車外電源による充電を自動で行なう場合には、車両の整備作業者が予期しない状態で高電圧電源が作動するおそれがあるが、このようなおそれも回避することができる。
【００１７】
（３）同様に、車載機器が車両に装備された空調装置であり、車載機器制御装置が空調装置の稼動を制御する空調制御装置であって、予め設定されたタイムスケジュールに従って空調装置の稼動を自動で行なう場合にも、車両の整備作業者が予期しない状態で高電圧電源が作動するおそれがあるが、このようなおそれも回避することができる。
（４）また、車載機器が高電圧電源から補機バッテリを充電する補機バッテリ充電装置であり、車載機器制御装置が補機バッテリ充電装置を稼動して高電圧電源から補機バッテリへ電力を供給し充電する充電制御を行なう補機バッテリ充電制御装置であって、予め設定されたタイムスケジュールに従って補機バッテリの充電を自動で行なう場合にも、車両の整備作業者が予期しない状態で高電圧電源が作動するおそれがあるが、このようなおそれも回避することができる。
【図面の簡単な説明】
【００１８】
【図１】本発明の一実施形態にかかる車載機器制御装置及びこれを備えた車載機器の遠隔操作システムの要部構成を示すブロック図である。
【図２】本発明の一実施形態にかかる車載機器制御装置及びこれを備えた車載機器の遠隔操作システムの概要を示す構成図である。
【図３】本発明の一実施形態にかかる車載機器制御装置及びこれを備えた車載機器の遠隔操作システムを詳細に示す構成図である。
【図４】本発明の一実施形態にかかる車載機器の遠隔操作システムのモバイル通信機器としての多機能携帯端末の表示画面（ホーム画面）を示す図である。
【図５】本発明の一実施形態にかかる車載機器の遠隔操作システムのモバイル通信機器としての多機能携帯端末の表示画面（タイマー充電設定画面）を示す図であり、（ａ）はタイマー充電スケジュールの設定画面を示し、（ｂ）はタイマー時間設定画面を示す。
【図６】本発明の一実施形態にかかる車載機器の遠隔操作システムのモバイル通信機器としての多機能携帯端末の表示画面（タイマー空調設定画面）を示す図であり、（ａ）はタイマー空調スケジュールの設定画面を示し、（ｂ）はタイマー時間設定画面を示す。
【図７】本発明の一実施形態にかかる車載機器の遠隔操作システムのモバイル通信機器としての多機能携帯端末の車両情報画面を示す図である。
【図８】本発明の一実施形態にかかる車載機器の遠隔操作システムのモバイル通信機器としての多機能携帯端末の車両操作画面（パニックアラーム）を示す図である。
【図９】本発明の一実施形態にかかる車載機器の遠隔操作システムのモバイル通信機器としての多機能携帯端末の車両操作画面（駐車位置確認）を示す図である。
【図１０】本発明の一実施形態にかかる車載機器の遠隔操作システムのモバイル通信機器としての多機能携帯端末の車両操作画面（ドアロック）を示す図である。
【図１１】本発明の一実施形態にかかる車載機器の遠隔操作システムのモバイル通信機器としての多機能携帯端末の各種設定画面を示す図である。
【図１２】本発明の一実施形態にかかる車載機器の遠隔操作システムのモバイル通信機器としての多機能携帯端末の各種設定画面を示す図である。
【発明を実施するための形態】
【００１９】
以下、図面により、本発明の実施形態を説明する。
なお、本実施形態にかかる車両は、家庭用コンセント等の一般的な車外電源（１００ボルト電源）を利用して走行用バッテリへの充電を行なうことができるプラグインハイブリッド電気自動車（ＰＨＥＶ）であり、高電圧電源を作動させる車載機器には、高電圧電源自体である走行用バッテリが含まれる。
【００２０】
また、本実施形態では、車載機器の遠隔操作システム及びこれに備えられた車載機器制御装置を例示するが、本発明には、車両に装備された機器を直接操作するシステムのように、遠隔操作ではない操作システムに備えられる車載機器制御装置も含まれる。
〔システム全体構成〕
図２は本実施形態にかかる車載機器の遠隔操作システムを示す概略構成図である。図２に示すように、この遠隔操作システムは、車両１に装備され、車載機器を制御する各制御装置（車載機器制御装置）を含んだ車両ネットワーク２と、車載機器を遠隔操作するためのモバイル通信機器としての多機能携帯端末（スマートフォン）３と、車両１に装備され、車両ネットワーク２の各制御装置とスマートフォン３との間に介在し無線通信を処理する無線ルータとして機能する通信ＥＣＵ（無線通信機器，ＥＶリモートＥＣＵとも言う）４と、を備えている。
【００２１】
通信ＥＣＵ４と車両ネットワーク２との通信には、有線のＣＡＮ（Controller Area Network）が用いられ、通信ＥＣＵ４とスマートフォン３との通信には、無線のＷｉ−Ｆｉ（wireless fidelity、登録商標）或いは３Ｇ（3rd Generation）といった無線ＬＡＮ通信が用いられる。ここでは、通信ＥＣＵ４とスマートフォン３との通信にＷｉ−Ｆｉが用いられるものとする。
車両ネットワーク２には、ノイズに強く、通信線の１本が断線しても残る線で通信が可能である特性から、ＣＡＮが広く使われており、車載の通信ＥＣＵ４と車両ネットワーク２との間にもＣＡＮを用いている。
【００２２】
通信ＥＣＵ４とスマートフォン３との通信にＷｉ−Ｆｉを用いるのは、市販されているスマートフォンやその他のモバイル通信機器にＷｉ−Ｆｉを利用可能なものが多く、比較的通信速度が速く、比較的長い無線通信距離（車両との通信可能距離は見通し最大距離約２００ｍ程度）を確保でき、しかも、汎用性が高くインフラの整備をすることなく通信ができ、ランニングコストも低く抑えることができるためである。
【００２３】
なお、本実施形態ではＷｉ−Ｆｉを用いるモバイル通信機器としてスマートフォンを例示するが、Ｗｉ−Ｆｉ通信を用いる場合、スマートフォンだけでなく、Ｗｉ−Ｆｉ通信を採用し、本遠隔操作システムのアプリケーションプログラム（以下、アプリケーションソフトとも言う）のダウンロードが可能であれば、種々のモバイル通信機器（Ｗｉ−Ｆｉデバイス）が使用できる。
【００２４】
図３はこの遠隔操作システムを更に詳細に示す構成図である。図３に示すように、車両側には、車載機器として、走行用バッテリ１１Ａを充電する走行用バッテリ充電装置２２Ａと、補機バッテリ１１Ｂを充電する補機バッテリ充電装置２２Ｂと、エアコン装置１２と、オーディオ及びカーナビシステム１３と、リアデフォッガ１４とが搭載されるほか、更に、ランプ類１５やドアミラー１６やワイパー（図示略）などの電装品等が搭載されている。なお、エアコン装置１２は電動コンプレッサ１２ａを使用する電動タイプの装置であり、電動コンプレッサ１２ａの電源には、高電圧電源である走行用バッテリ１１Ａが使用される。
【００２５】
さらに、車両側には、車載機器を制御する車載機器制御装置として、車両全体を制御する車両ＥＣＵ２１と、走行用バッテリ１１Ａの充電を制御する走行用バッテリ充電制御部（走行用バッテリ充電制御装置）２２ａ及び補機バッテリ１１Ｂの充電を制御する補機バッテリ充電制御部（補機バッテリ充電制御装置）２２ｂとしての各機能を有する車載充電ＥＣＵ（充電器）２２と、エアコン装置１２を制御する空調制御装置としてのエアコンＥＣＵ２３と、リアデフォッガ１４やランプ類１５やドアミラー１６等の電装品の作動を制御する電装品トータル制御ＥＣＵ２４等が搭載されている。
【００２６】
なお、車載機器制御装置としての各ＥＣＵ２１〜２４，スマートフォン３及び通信ＥＣＵ４は、入出力装置，記憶装置（ＲＯＭ、ＲＡＭ、不揮発性ＲＡＭ等のメモリ）、中央処理装置（ＣＰＵ）及びタイマカウンタ等を含んで構成される。
車両ＥＣＵ２１及び車載充電ＥＣＵ２２は電気自動車ＣＡＮ（ＥＶ−ＣＡＮ）５１によって接続され、エアコンＥＣＵ２３，電装品トータル制御ＥＣＵ２４及びオーディオ及びカーナビシステム１３は電装品ＣＡＮ（ＳＵＢ−ＣＡＮ）５２によって接続されている。また、電気自動車ＣＡＮ５１と電装品ＣＡＮ５２とは、図示しないゲートウェイ等を介して接続されている。
【００２７】
車両ＥＣＵ２１は、車両のパワースイッチ１７の駆動機構（パワースイッチ駆動機構）を操作しパワースイッチ１７をオンオフ操作する機能（パワースイッチ制御手段）と、各ドアのロックアンロック機構（ドア施錠解錠機構）１９を操作しドアをロック状態又はアンロック状態に操作する機能（ドア施錠解錠制御手段）とを備えている。また、車両ＥＣＵ２１には、パワースイッチ１７のオンオフ状態の情報や、ロックアンロック機構１９がロック状態かアンロック状態かの情報や、各ドアの開閉スイッチ１８のオンオフ状態（開閉状態）の情報が入力されるようになっている。
【００２８】
また、車両ＥＣＵ２１には、サスペンションストローク（車輪と車体との上下位置関係）から車高を検知するハイトセンサ６０からの検出情報が入力されるようになっている。なお、本車両では、ハイトセンサ６０は、図示しない車高調整装置による車高調整或いはサスペンションの制御のための情報取得のために装備されている。
このハイトセンサ６０の検出情報は、電気自動車ＣＡＮ５１を通じて車載充電ＥＣＵ２２に入力され、走行用バッテリ充電制御部２２ａ及び補機バッテリ充電制御部２２ｂによる充電制御に利用される。また、ハイトセンサ６０の検出情報は、電気自動車ＣＡＮ５１及び電装品ＣＡＮ５２を通じてエアコンＥＣＵ２３に入力され、エアコンＥＣＵ２３によるエアコン装置１２の稼動制御に利用される。これらの制御については後述する。
【００２９】
ここで、車載充電ＥＣＵ２２の走行用バッテリ充電制御部２２ａ及び補機バッテリ充電制御部２２ｂによる走行用バッテリ１１Ａの充電及び補機バッテリ１１Ｂの充電について図１を参照して説明する。
図１に示すように、走行用バッテリ充電装置２２Ａは、車外電源から走行用バッテリ１１Ａに電力を供給することにより走行用バッテリ１１Ａを充電する。特に、走行用バッテリ充電装置２２Ａは、充電ステーション等に設備された専用充電コンセントだけでなく、家庭用コンセント等の一般電源を利用して走行用バッテリ１１Ａに充電をすることができる。このとき、走行用バッテリ充電制御部２２ａが走行用バッテリ充電装置２２Ａによる充電を制御する。
【００３０】
走行用バッテリ充電制御部２２ａの制御による走行用バッテリ１１Ａの充電モードとしては、専用の外部急速充電器を用いる「急速充電」と、専用の２００Ｖの外部充電器を用いる「普通充電，２００Ｖ」と、家庭用コンセント等の１００Ｖの一般電源を用いる「普通充電，１００Ｖ」との各モードが設けられている。
また、走行用バッテリ充電制御部２２ａは、走行用バッテリ１１Ａに対する充電操作によってリアルタイムに充電制御をするほかに、予めタイマー２２ａ１で充電スケジュールを設定して、設定したスケジュールに応じて走行用バッテリ１１Ａの充電を自動で行なう機能（走行用バッテリ充電タイマー稼動制御手段）２２ａ２を備えている。
【００３１】
補機バッテリ充電装置２２Ｂは、走行用バッテリ１１Ａから補機バッテリ１１Ｂに電力を供給することにより補機バッテリ１１Ｂを充電する。このとき、補機バッテリ充電制御部２２ｂが補機バッテリ充電装置２２Ｂによる充電を制御する。
また、補機バッテリ充電制御部２２ｂは、補機バッテリ１１Ｂに対する充電操作によってリアルタイムに充電を制御するほかに、予めタイマー２２ｂ１で充電スケジュールを設定して、設定したスケジュールに応じて補機バッテリ１１Ｂの充電を自動で行なう機能（補機バッテリ充電タイマー稼動制御手段）２２ｂ２を備えている。
【００３２】
なお、タイマー設定スケジュールによる自動充電を「タイマー充電」とも称し、走行用バッテリ１１Ａの「タイマー充電」については、「普通充電，１００Ｖ」により行われる。
次に、エアコンＥＣＵ２３によるエアコン装置１２の稼動制御を説明する。
エアコン装置１２は室内の空調（冷房，暖房）のほかフロントガラスへの送風も行なう。エアコンＥＣＵ２３は、車両側（車室内）の操作機器の操作に応じてリアルタイムにエアコン装置１２の作動を制御するほかに、予めタイマー２３ａで空調スケジュールを設定して、設定したスケジュールに応じて室内空調及びフロントガラスへの送風を自動で行なう機能（空調タイマー稼動制御手段）２３ｂを備えている。
【００３３】
なお、タイマー設定スケジュールによる自動空調を「タイマー空調」とも称する。
したがって、空調モードとしては、室内空調に関する「空調待機中（冷房）」，「空調作動中（冷房）」，「空調待機中（暖房）」，「空調作動中（暖房）」の各モードと、フロントガラス送風に関する「空調待機中（フロントガラスへ送風）」，「空調作動中（フロントガラスへ送風）」の各モードとが設けられる。各空調待機中モードは空調スケジュールが設定されているが空調が開始されていない状態に相当する。
【００３４】
電装品トータル制御ＥＣＵ２４は、リアデフォッガ１４，ヘッドライトやポジションランプ等のランプ類１５，ドアミラー１６及びワイパーなどの電装品の作動を制御すると共に、これらの電装品の作動状況を把握する。
通信ＥＣＵ４は、送受信アンテナ部４１と、キースイッチがＯＮ又はＳＴＡＲＴの位置でイグニッション電源と接続するＩＧ端子４２と、バッテリ電源と常時接続する＋Ｂ端子４３と、アース接続される接地アース端子４４と、高速ＣＡＮ（ＣＡＮ−Ｃ）と接続されるＣＡＮ接続端子４５と、充電機能を一時的に待機させるための信号ＷＵＣＩを出力する充電待機信号出力部４６と、電気自動車のシステムを起動させるためのＷａｋｅＵｐ信号ＷＵＣＯを出力するシステム起動信号出力部４７とを備えている。
【００３５】
〔スマートフォン（モバイル通信機器）の表示画面〕
スマートフォン３には、本遠隔操作システムのアプリケーションソフトがダウンロードされており、このアプリケーションソフトを起動させると、スマートフォン３のタッチパネルディスプレイ３０の画面に、図４に示すような画像が表示される。
図４に示すものは、ホーム画面の画像（以下、ホーム画面と言う）１００であり、起動時に表示される。このホーム画面１００には、上縁部領域に、画面タイトル表示（ホーム）１０１と更新ボタン（スイッチ）１０２と更新日時１０３とが表示され、また、下縁部領域には、ホームボタン１１１、タイマーボタン１１２、車両情報ボタン１１３、車両操作ボタン１１４、設定ボタン１１５の各モードを選択するモード選択ボタン（スイッチ）が表示される。図４に示すホーム画面１００は、起動時或いはホームボタン１１１のタッチ操作によって表示される。
【００３６】
ホーム画面１００のこれらの上下縁部領域を除く中央領域には、その上部に、充電状態表示１２０と空調状態１３０と、いますぐ充電設定ボタン１２３が表示され、その下部に、タイマー充電操作ボタン１２１及びタイマー充電設定状態１２２と、いますぐ空調設定ボタン（急速空調設定ボタン）１３１，タイマー空調操作ボタン１３２及びタイマー空調設定状態１３３とが表示される。
【００３７】
充電状態表示１２０には、走行用バッテリ１１Ａの充電中であれば、充電中を示すマーク１２０Ａが表示されると共に、この時の充電モード状態１２０Ｂ、つまり、「急速充電」，「普通充電，２００Ｖ」，「普通充電，１００Ｖ」のいずれが表示される。また、充電ガンが充電プラグに接続されているか否かの充電プラグの状態１２０Ｃも表示される。充電中であれば、充電プラグの状態１２０Ｃは接続状態となる。また、充電中でないが、予めタイマーで充電スケジュールを設定してあり、充電プラグの状態１２０Ｃが接続状態であれば、充電モード状態１２０Ｂには「充電待機中」と表示される。さらに、充電状態表示１２０には、充電率の模式的なグラフ表示１２０Ｄと、充電完了までの所要時間１２０Ｅと表示される。
【００３８】
タイマー充電操作ボタン１２１は、タイマー充電の作動（オン），非作動（オフ）を設定するスイッチであり、タッチする度にオンとオフが反転する。また、スイッチをオン状態で点灯し（明るくなる）オフ状態で消灯する（暗くなる）、或いは、スイッチの色を変えるなどにより識別できるようにする。
いますぐ空調設定ボタン１３１は、急速空調（今すぐ空調）の作動（オン），非作動（オフ）を設定するスイッチであり、タッチする度にオンとオフが反転する。また、スイッチをオン状態で点灯し（明るくなる）オフ状態で消灯する（暗くなる）、或いは、スイッチの色を変えるなどにより識別できるようにする。
【００３９】
タイマー空調操作ボタン１３２は、タイマー空調の作動（オン），非作動（オフ）を設定するスイッチであり、タッチする度にオンとオフが反転する。また、スイッチをオン状態で点灯し（明るくなる）オフ状態で消灯する（暗くなる）、或いは、スイッチの色を変えるなどにより識別できるようにする。
タイマー充電操作ボタン１２１をオン操作してからタイマーボタン１１２をタッチ操作すると、図５（ａ）に示すように、タイマー充電設定画面２００が表示される。このタイマー充電設定画面２００には、上縁部領域に、画面タイトル表示（タイマー充電設定）２０１と更新ボタン（スイッチ）２０２と戻るボタン（スイッチ）２０３とが表示され、また、下縁部領域には、タイマー設定ボタン２１１，送信ボタン２１２が表示される。
【００４０】
タイマー充電設定画面２００のこれらの上下縁部領域を除く中央領域には、その左半部に、設定した各曜日の充電スケジュール２２０が表示され、その右半部に、フル充電（満充電）を実施するか否かの選択スイッチ２３０が表示される。充電スケジュール２２０は予め設定された複数のスケジュール（ここでは、タイマー１，２，３の３種類）の何れか又はオフ（タイマー充電なし）を選択することができる。
【００４１】
タイマー１，２，３のそれぞれの設定を変更するには、予め曜日を選択して、タイマー設定ボタン２１１をタッチ操作して、図５（ｂ）に示すように、タイマー設定画面２２１に表示を切り替える。タイマー設定画面２２１には、タイマー１，２，３の選択スイッチ２２２と、充電開始時間（時，分）及び充電終了時間（時，分）のスクロール画面２２３とが表示され、タイマー１，２，３のいずれかを選択操作して、充電開始時間或いは充電終了時間の時，分のスクロール画面を操作して時刻を設定する。スクロール画面２２３の下部にはこの時刻設定に連動して充電時間２２４が表示される。
【００４２】
タイマー設定画面２２１の下縁部領域には、確定ボタン２２５が表示されており、確定ボタン２２５をタッチ操作すれば、図５（ａ）に示すタイマー充電設定画面２００に戻り、送信ボタン２１２をタッチ操作すれば、充電スケジュールの設定情報が車両の通信ＥＣＵ４に送信される。この充電スケジュール設定情報は、通信ＥＣＵ４から車載充電ＥＣＵ２２に送信され、車載充電ＥＣＵ２２のメモリに記憶され、車載充電ＥＣＵ２２はこのメモリに記憶された充電スケジュールに従って充電を実施する。
【００４３】
また、いますぐ充電設定ボタン１２３は、走行用バッテリ１１Ａ又は補機バッテリ１１Ｂをリアルタイムで充電を開始するためのスイッチであり、いますぐ充電設定ボタン１２３をタッチ操作すると、図示しない選択メニューが表示され、走行用バッテリ１１Ａを充電するのか、補機バッテリ１１Ｂを充電するのかを選択するように案内し、選択したバッテリについてリアルタイム充電の開始を設定する。そして、図示しないが選択メニューと共に表示された確定ボタン及び送信ボタンのうち確定ボタンをタッチ操作し、操作を確定させた後、送信ボタンをタッチ操作すれば、基本的には、各バッテリ１１Ａ，１１Ｂの充電が開始される。
【００４４】
なお、各バッテリ１１Ａ，１１Ｂの充電中には、車載充電ＥＣＵ２２は、各バッテリ１１Ａ，１１Ｂの充電量（残存容量）を推定し、この推定によって各バッテリ１１Ａ，１１Ｂが満充電になった場合には、充電を停止するようになっている。
同様に、タイマー空調操作ボタン１３２をオン操作してからタイマーボタン１１２をタッチ操作すると、図６（ａ）に示すように、タイマー空調設定画面３００が表示される。このタイマー空調設定画面３００には、上縁部領域に、画面タイトル表示（タイマー空調設定）３０１と更新ボタン（スイッチ）３０２と戻るボタン（スイッチ）３０３とが表示され、また、下縁部領域には、タイマー設定ボタン３１１，送信ボタン３１２が表示される。
【００４５】
タイマー空調設定画面３００のこれらの上下縁部領域を除く中央領域には、その左半部に、設定した各曜日の空調スケジュール３２０が表示され、その右半部に、空調モード（暖房，冷房，デフ，オフ）３３０が表示される。この充電スケジュール３２０も予め設定された複数のスケジュール（ここでは、タイマー１，２，３の３種類）の何れか又はオフ（タイマー充電なし）を選択することができる。
【００４６】
タイマー１，２，３のそれぞれの設定を変更するには、タイマー充電と同様に、予め曜日を選択して、タイマー設定ボタン３１１をタッチ操作して、図６（ｂ）に示すように、タイマー設定画面３２１に表示を切り替える。タイマー設定画面３２１には、タイマー１，２，３の選択スイッチ３２２と、エアコン開始時間（時，分）のスクロール画面３２３とが表示され、タイマー１，２，３のいずれかを選択操作して、充電開始時間の時，分のスクロール画面を操作して時刻を設定する。
【００４７】
タイマー設定画面３２１の下縁部領域には、確定ボタン３２５が表示されており、確定ボタン３２５をタッチ操作すれば、図６（ａ）に示すタイマー空調設定画面３００に戻り、送信ボタン３１２をタッチ操作すれば、空調スケジュールの設定情報が車両の通信ＥＣＵ４に送信される。この充電スケジュール設定情報は、通信ＥＣＵ４からエアコンＥＣＵ２３に送信され、エアコンＥＣＵ２３のメモリに記憶され、エアコンＥＣＵ２３はこのメモリに記憶された充電スケジュールに従って空調を開始する。
【００４８】
スマートフォン３のアプリケーションソフトのうち、上記のタイマー充電に関する設定要素がバッテリ充電タイムスケジュール設定手段３４Ａに相当し、上記のタイマー空調に関する設定要素が空調タイムスケジュール設定手段３４Ｂに相当する。
ホーム画面１００において、車両情報ボタン１１３をタッチ操作すると、図７に示す車両情報画面４００が表示される。この車両情報画面４００には、上縁部領域に、画面タイトル表示（車両情報）４０１と更新ボタン（スイッチ）４０２とが表示され、また、下縁部領域には、ホーム画面１００と同様に、ホームボタン１１１、タイマーボタン１１２、車両情報ボタン１１３、車両操作ボタン１１４、設定ボタン１１５の各ボタン（スイッチ）が表示される。
【００４９】
車両情報画面４００のこれらの上下縁部領域を除く中央領域には、その上半部に、ランプ点灯、ドア開閉などの状態表示４２０が行われ、その下半部に、パワースイッチ（電源）の位置（オンかオフかの状態表示）４３０及び盗難警報の状態表示４４０が行われる。
車両操作ボタン１１４をタッチ操作すると、図８に示す車両操作画面（パニックアラーム）５００、或いは、図９に示す車両操作画面（駐車位置確認）６００、或いは、図１０に示す車両操作画面（ドアロック）７００が表示される。
【００５０】
例えば、ホーム画面１００や車両情報画面４００において、車両操作ボタン１１４をタッチ操作すると、まず、図８に示す車両操作画面（パニックアラーム）５００が表示され、車両操作画面５００において、車両操作ボタン１１４をタッチ操作すると、図９に示す車両操作画面（駐車位置確認）６００が表示され、車両操作画面６００において、車両操作ボタン１１４をタッチ操作すると、図１０に示す車両操作画面（ドアロック）７００が表示される。
【００５１】
図８，図９，図１０に示す車両操作画面５００，６００，７００には、上縁部領域に、画面タイトル表示（パニックアラーム，駐車位置確認，ドアロック）５０１，６０１，７０１と更新ボタン（スイッチ）５０２，６０２，７０２とが表示され、また、下縁部領域には、ホーム画面１００と同様に、ホームボタン１１１、タイマーボタン１１２、車両情報ボタン１１３、車両操作ボタン１１４、設定ボタン１１５の各ボタン（スイッチ）が表示される。
【００５２】
車両操作画面５００，６００，７００のこれらの上下縁部領域を除く中央領域には、スイッチ類（スライドスイッチ）及び状態表示アイコンが表示される。
車両周辺に警告をする際に使用するパニックアラームの車両操作画面５００の場合、パニックアラームスイッチ５１１のスライド操作で、パニックアラームの作動及び停止を操作することができ、パニックアラームの作動及び停止はアイコン５２１の点灯（明るくなる）及び消灯（暗くなる）、或いは、色を変えるなどの表示と、文字表示とによって表示する。
【００５３】
駐車位置確認の車両操作画面６００の場合、ヘッドライト点灯スイッチ６１１のスライド操作で、ヘッドライトの点灯及び消灯を操作することができ、ポジションランプ点灯スイッチ６１２のスライド操作で、ポジションランプの点灯及び消灯を操作することができ、ホーン作動スイッチ６１３のスライド操作で、ホーンの吹鳴作動操作をすることができる。また、ヘッドライトの点灯及び消灯、ポジションランプの点灯及び消灯、ホーンの作動及び非作動は、アイコン６２１，６２２、６２３をオン状態で点灯し（明るくなる）オフ状態で消灯する（暗くなる）、或いは、スイッチの色を変えるなどの表示と、文字表示とによって表示する。
【００５４】
ドアロックの車両操作画面７００の場合、ドアロックスイッチ７１１のスライド操作で、ドアのロックを操作することができ、ドアアンロックスイッチ７１２のスライド操作で、ドアのアンロックを操作することができる。また、ドアのロック及びアンロックの状態と、盗難警報の状態（盗難警報解除、盗難警報セット、盗難警報作動中）とを、アイコン７２０，７２１，７２２の絵柄，表示色及び文字によって表示する。
【００５５】
設定ボタン１１５をタッチ操作すると、図１１，図１２に示す設定画面８００が表示される。設定項目は、例えば、暗証番号入力省略、暗証番号変更、ＳＳＩＤの変更、ＡＮＹ接続、車台番号登録解除、車両設定、盗難警報履歴、車両ソフトウェアアップデート等があり、また、参照項目として、バージョン情報、登録スマートフォン数などがある。図１２に示す設定画面８００は、図１１に示す設定画面８００をスクロールしたものである。
【００５６】
例えば、スマートフォン３等の固有のＷｉ−Ｆｉデバイスを車両の遠隔操作に使用する場合、Ｗｉ−Ｆｉデバイスを車両の通信ＥＣＵ４に登録する必要がある。この場合、車両の通信ＥＣＵ４を登録可能状態にして、車両設定の項目をタッチ操作して車両設定モードにセットし、Ｗｉ−Ｆｉデバイスを車両と接続し、Ｗｉ−ＦｉデバイスにＷｉ−Ｆｉパスワードを入力して、通信ＥＣＵ４に送信する。これにより、Ｗｉ−Ｆｉデバイスが車両の通信ＥＣＵ４に登録されて、スマートフォンアプリを立ち上げることで通信が可能になる。
【００５７】
また、車両側の通信ＥＣＵ４のソフトウェアをアップデートする場合、車両ソフトウェアアップデート項目をタッチ操作して、通信ＥＣＵ４のソフトウェアをＷｉ−Ｆｉ通信を介し、スマートフォンを使用して、アップデートすることができる。なお、車両のソフトウェアをアップデートする必要がある場合にソフトウェアアップデートをしないと、各機能が正常に作動しない可能性があるので、この場合には、ソフトウェアアップデートすることを勧めるワーニング画面をスマートフォンに表示するようになっている。
【００５８】
〔高電圧の作動回避制御〕
そして、本システムの場合、充電や空調等を作動させるためには高電圧電源である走行用バッテリ１１Ａを作動（通電）させる必要があるが、整備工場等で整備中に高電圧電源が作動することを回避できるように、一定条件下で高電圧電源の作動停止制御を行なうようになっている。
【００５９】
この作動停止制御では、整備中には、基本的に車両１をリフトアップするので、この車両１のリフトアップ状態を判定し、車両１がリフトアップしていると判定した場合には、高電圧である走行用バッテリ１１Ａの作動を回避する。また、リフトアップの判定は、車両に装備されたハイトセンサ６０の検出情報を利用する。
そこで、本システムの車載機器制御装置である車載充電ＥＣＵ２２の走行用バッテリ充電制御部２２ａには、ハイトセンサ６０の検出情報から車両１がリフトアップ状態であるか否かを判定する機能（判定手段）２２ａ３と、この判定手段２２ａ３により車両１がリフトアップ状態であると判定されると、走行用バッテリ充電タイマー稼動制御手段２２ａ２による走行用バッテリ充電タイマー稼動制御を無効化し、走行用バッテリ充電装置２２Ａの制御又は稼動を中止して走行用バッテリ１１Ａの作動を停止する機能（停止手段）２２ａ４とを備えている。
【００６０】
なお、停止手段２２ａ４は、いますぐ充電設定ボタン１２３によりリアルタイムでの走行用バッテリ１１Ａの充電が走行用バッテリ充電制御部２２ａに指示された場合に、判定手段２２ａ３により車両１がリフトアップ状態であると判定されると、リアルタイムでの充電制御を無効化し、走行用バッテリ充電装置２２Ａの制御又は稼動を中止して走行用バッテリ１１Ａの作動を停止する。
【００６１】
また、車載充電ＥＣＵ２２の補機バッテリ充電制御部２２ｂは、ハイトセンサ６０の検出情報から車両１がリフトアップ状態であるか否かを判定する機能（判定手段）２２ｂ３と、この判定手段２２ｂ３により車両１がリフトアップ状態であると判定されると、補機バッテリ充電タイマー稼動制御手段２２ｂ２による補機バッテリ充電タイマー稼動制御を無効化し、補機バッテリ充電装置２２Ｂの制御又は稼動を中止して走行用バッテリ１１Ａの作動を停止する機能（停止手段）２２ｂ４とを備えている。
【００６２】
この停止手段２２ｂ４も、いますぐ充電設定ボタン１２３によりリアルタイムでの補機バッテリ１１Ｂの充電が補機バッテリ充電制御部２２ｂに指示された場合に、判定手段２２ｂ３により車両１がリフトアップ状態であると判定されると、リアルタイムでの充電制御を無効化し、走行用バッテリ充電装置２２Ｂの制御又は稼動を中止して走行用バッテリ１１Ａの作動を停止する。
【００６３】
また、エアコンＥＣＵ２３は、ハイトセンサ６０の検出情報から車両１がリフトアップ状態であるか否かを判定する機能（判定手段）２３Ｃと、この判定手段２３Ｃにより車両１がリフトアップ状態であると判定されると、空調タイマー稼動制御手段２３ｂによる制御を無効化し、エアコン装置１２の制御又は稼動を中止して走行用バッテリ１１Ａの作動を停止する機能（停止手段）２３Ｄとを備えている。
【００６４】
この停止手段２３Ｄも、いますぐ空調設定ボタン１３１によりリアルタイムでのエアコン装置１２の作動がエアコンＥＣＵ２３に指示された場合にも、判定手段２３Ｃにより車両１がリフトアップ状態であると判定されると、リアルタイムでのエアコン制御を無効化し、エアコン装置１２の制御又は稼動を中止して走行用バッテリ１１Ａの作動を停止する。
【００６５】
なお、ここでは、各車載機器制御装置（車載充電ＥＣＵ２２及びエアコンＥＣＵ２３）毎に、判定手段２２ａ３，２２ｂ３，２３Ｃと及び停止手段２２ａ４，２２ｂ４，２３Ｄを設けているが、例えば、車両ＥＣＵ２１に判定手段を設けてこの判定結果を各車載機器制御装置（車載充電ＥＣＵ２２及びエアコンＥＣＵ２３）に送信したり、或いは、車両ＥＣＵ２１に判定手段及び停止手段を設けて、停止指令情報を各車載機器制御装置（車載充電ＥＣＵ２２及びエアコンＥＣＵ２３）に送信したりして、充電や空調に関する制御を無効化する構成であっても良い。
【００６６】
本システムでは、上記のように、車両１のリフトアップ判定に、ハイトセンサ６０の検出情報を利用している。ハイトセンサ６０は、サスペンションストローク（車輪と車体との上下位置関係）から車高を検知するものであり、車両１のリフトアップ時には、車高は各車輪が地面に設置して自重に対応した路面反力を受ける通常の車高よりも明らかに高い車高状態を示す。したがって、ハイトセンサ６０の検出情報が基準高さ以上に相当するものであれば、車両１がリフトアップ状態であると判定することができる。
【００６７】
〔作用及び効果〕
本発明の一実施形態にかかる車載機器制御装置及びこれを含んだ車載機器の遠隔操作システムは、上述のように構成されているので、以下のような作用及び効果を得ることができる。
充電や空調等を作動させるためには高電圧電源である走行用バッテリ１１Ａを作動（通電）させる必要があるが、車両を整備工場等でリフトアップして整備している時には、車載充電ＥＣＵ２２及びエアコンＥＣＵ２３は、判定手段２２ａ３，２２ｂ３，２３Ｃにより、ハイトセンサ６０の検出情報から車両１がリフトアップ状態であると判定し、リフトアップ状態であると判定した場合、停止手段２２ａ４，２２ｂ４，２３Ｄが充電や空調の制御を停止するので、高電圧電源の作動が回避される。
【００６８】
したがって、車両をリフトアップするメンテナンス時において、作業前に、補機バッテリを外したりする処理を忘れたり、作業者が、充電ガンが充電プラグに差し込まれていることを確認せずに作業を開始した場合において、操作機器の誤った操作や、タイマー充電やタイマー空調といった操作によって、高電圧電源が作動してしまう状況になったとしても、停止手段２２ａ４，２２ｂ４，２３Ｄによって高電圧電源の作動が回避され、作業者の近くで高電圧電源が作動するおそれが解消される。
【００６９】
特に、走行用バッテリ１１Ａを利用して補機バッテリ１１Ｂを充電する際や、走行用バッテリ１１Ａを利用してプレ空調を実施する際には、充電ガンを充電プラグに差し込む必要はないので、作業者は補機バッテリ１１Ｂへの充電やプレ空調の実施を管理することができないが、作業時の高電圧電源の作動が制御ロジックによって回避されるので、作業者の負担なく、予期せぬ高電圧電源の作動を回避することができる。
【００７０】
また、本システムとしては、以下のような効果が得られる。
本システムでは、操作機器としてのモバイル通信機器であるスマートフォン３による遠隔操作によって、走行用バッテリ１１Ａや補機バッテリ１１Ｂの充電操作や、エアコン１２の作動操作を行なうことができるが、この場合、車両のメンテナンスを実施する整備工場等から離隔した箇所でスマートフォン３による遠隔操作を行なえるので、利便性が高い反面、メンテナンス作業者が管理できない箇所で誤操作が行われるおそれがある。この点、上記のように車両のメンテナンス時に高電圧電源が作動するおそれが解消されるので、誤操作やタイマー設定の影響を回避できる。
【００７１】
また、遠隔操作のための通信にＷｉ−Ｆｉ通信を用いているので、ある程度離れた箇所からも車載機器の操作を行なえる利点がある反面、スマートフォン３の誤操作の影響が広く及びやすく、また、スマートフォンにより簡単に車載機器の操作を行なえる利点がある反面、モバイル通信機器の誤操作も生じやすくなる。
これらの点においても、本システムによれば、上記のように車両のメンテナンス時に高電圧電源が作動するおそれが解消されるので、誤操作の影響を回避できる。
【００７２】
また、本システムでは、普及が広まっているスマートフォン３を利用して、車両から離れたところで、遠隔操作により車両の様々な車載機器を操作したり監視や管理をしたりすることができる。例えば、走行用バッテリ１１Ａや補機バッテリ１１Ｂの充電の開始，終了を遠隔操作により実施することができる。また、充電の開始や終了を事前にスケジュール設定しておき、これに従って充電を実施できるので、車両を規則的なタイミングで使用する場合の充電管理を容易に行うことができる。
【００７３】
また、この際、車載充電ＥＣＵ２２から送信された情報に基づいて走行用バッテリ１１Ａの充電状態をスマートフォン３のディスプレイ３０に表示することができるので、特に、把握しておきたい走行用バッテリ１１Ａの充電状態（残存容量）を容易に確認することができる。
さらに、スマートフォン３を利用して、車両から離れたところで、遠隔操作によりエアコン装置１２の起動を実施することができるので、いわゆるプレ空調によって車室内に乗り込む時点で快適な空調状態を実現することができる。また、エアコン装置１２の起動タイミングを事前にスケジュール設定しておき、これに従ってエアコン装置１２の作動を実施できるので、車両を規則的なタイミングで使用する場合の空調管理を容易に行うことができる。
【００７４】
また、この際にも、作動操作信号に応じたエアコン装置１２の作動状態をスマートフォン３のディスプレイ３０に表示することができるので、車両の空調状態を容易に確認することができる。
また、スマートフォン３と車両側の通信ＥＣＵ４との通信に、Ｗｉ−Ｆｉ通信が用いられているが、Ｗｉ−Ｆｉ通信は、比較的通信速度が速く、比較的長い無線通信距離を確保でき、しかも、汎用性が高くインフラの整備をしないで通信ができ、ランニングコストも低く抑えることができる。このため、スマートフォン３等のＷｉ−Ｆｉデバイスを用いて、コスト増を抑えながら、ストレスのない速度でしかも比較的長い無線通信距離（例えば、２００ｍ程度）での車載機器の遠隔操作を快適に行うことができる。また、ランニングコストも低く抑えることができる。
【００７５】
〔その他〕
以上、本発明の実施形態を説明したが、本発明はかかる実施形態に限定されるものではなく、本発明の趣旨を逸脱しない範囲で、かかる実施形態を適宜変更して実施することができる。
例えば、上記実施形態では、高電圧系の走行用バッテリ１１Ａ自体への充電についても、車両１がリフトアップ状態である場合には充電を実施させないようにしているが、走行用バッテリ１１Ａへ充電を行なう際には、充電ガンを充電プラグに差し込む必要があるため、作業者はこうした充電を管理できる。そこで、走行用バッテリ１１Ａへの充電については、充電を実施させないロジックを除くことも考えられる。ただし、走行用バッテリ１Ａへ充電する場合にも、作業者が、充電ガンが充電プラグに差し込まれていることを確認せずに作業を開始するおそれもあるので、本実施形態の場合、こうした状況にも対応できる。
【００７６】
また、車両の高電圧電源を作動させる車載機器として、補機バッテリ１１Ｂ及びエアコン１２を例示したが、本発明において対象となるものは車両の高電圧電源を作動させる車載機器であることが条件であり、対象となる車載機器はこれらに限らない。
また、上記の実施形態では、モバイル通信機器として、いわゆるスマートフォンと呼ばれる多機能携帯電話を例示したが、モバイル通信機器はこれに限るものではない。
【００７７】
例えば、Ｗｉ−Ｆｉ通信を利用可能なモバイル通信機器としては、いわゆるタブレット型の端末（タブレットＰＣ）も普及しており、これらも適用できる。
また、上記の実施形態では、無線ＬＡＮ通信としてＷｉ−Ｆｉ通信を利用する例を説明したが、利用しうる通信規格はこれに限らず、他の無線ＬＡＮ通信や無線通信を用いることができる。もちろん、Ｗｉ−Ｆｉ通信のように、通信速度が速く、比較的長い無線通信距離を確保でき、しかも、汎用性が高くインフラの整備が不要であり、ランニングコストも低く抑えることができるものが好ましい。
【００７８】
このような特性を有する通信規格の場合、Ｗｉ−Ｆｉ通信のように、車両側の無線通信機器の待機電流が大きくなってしまう場合が考えられ、この場合、本発明のように、特定の時間帯のみ受信待機状態とするようにして、車両のバッテリ消費を抑えることが有効になる。
また、各タイマー設定は、モバイル通信機器で行なうものではなく、車載の操作機器によって遠隔操作ではなく行なうものであっても良い。
【産業上の利用可能性】
【００７９】
本発明の車載機器制御装置は、自動車に搭載され高電圧電源を作動させる車載機器の制御や稼動をタイマー設定によったり遠隔操作によったりして実施する装置に広く適用することができる。
【符号の説明】
【００８０】
１  車両
２  車両ネットワーク
３  モバイル通信機器としての多機能携帯端末（スマートフォン）
４  通信ＥＣＵ（無線通信機器，ＥＶリモートＥＣＵ）
１１Ａ  走行用バッテリ（車載機器，高電圧電源）
１１Ｂ  補機バッテリ（車載機器）
１２  エアコン装置（車載機器
１２ａ  電動コンプレッサ
１３  オーディオ及びカーナビシステム（車載機器）
１４  リアデフォッガ（車載機器）
１５  ランプ類（車載機器）
１６  ドアミラー（車載機器）
２１  車両ＥＣＵ
２２  車載充電ＥＣＵ（充電器）
２２Ａ  走行用バッテリ充電装置（車載機器）
２２ａ  走行用バッテリ充電制御部（走行用バッテリ充電制御装置）
２２Ｂ  補機バッテリ充電装置（車載機器）
２２ｂ  補機バッテリ充電制御部（補機バッテリ充電制御装置）
２２ａ１，２２ｂ１，２３ａ  タイマー
２２ａ２，２２ｂ２，２３ｂ  タイマー稼動制御手段
２２ａ３，２２ｂ３，２３Ｃ  判定手段
２２ａ４，２２ｂ４，２３Ｄ  停止手段
２３  エアコンＥＣＵ
２４  電装品トータル制御ＥＣＵ
３０  タッチパネルディスプレイ
３４Ａ  充電タイムスケジュール設定手段
３４Ｂ  空調タイムスケジュール設定手段
４１  送受信アンテナ部
４２  ＩＧ端子
４３  ＋Ｂ端子
４４  接地アース端子
４５  ＣＡＮ接続端子
４６  充電待機信号出力部
４７  システム起動信号出力部
５１  電気自動車ＣＡＮ（ＥＶ−ＣＡＮ）
５２  電装品ＣＡＮ（ＳＵＢ−ＣＡＮ）
６０  ハイトセンサ
【図１】
2014069593.tif 000003
【図２】
2014069593.tif 000004
【図３】
2014069593.tif 000005
【図４】
2014069593.tif 000006
【図５】
2014069593.tif 000007
【図６】
2014069593.tif 000008
【図７】
2014069593.tif 000009
【図８】
2014069593.tif 000010
【図９】
2014069593.tif 000011
【図１０】
2014069593.tif 000012
【図１１】
2014069593.tif 000013
【図１２】
2014069593.tif 000014